(57)【要約】【課題】確実なクリック機能と共に十分な防水性を備えたスライドスイッチ機構を有する携帯電子機器を提供する。【解決手段】筐体内部と筐体外部を連通する開口部１７ａを有する筐体と、開口部１７ａに対しスライド自在に装着されたスライドレバー１５と、スライドレバー１５のスライド動作時に当該スライド動作に合わせてクリック感を発生させるクリックプレート２０と、開口部１７ａとスライドレバー１５との間に配された防水用パッキン１９とを有する。クリックプレート２０は、スライドレバー１５と弾性的に係合する、形状変形可能な弾性体により形成されている。【選択図】図１
2008035115.tif 000002
【特許請求の範囲】
【請求項１】
筐体内部と筐体外部を連通する開口部を有する筐体と、
前記開口部に対しスライド自在に装着されたスライド部品と、
前記スライド部品のスライド動作時に当該スライド動作に合わせてクリック感を発生させるクリック発生部品と、
前記開口部と前記スライド部品との間に配された防水部品と
を有する携帯電子機器。
【請求項２】
前記クリック発生部品は、前記スライド部品と弾性的に係合する、形状変形可能な弾性体により形成されている請求項１に記載の携帯電子機器。
【請求項３】
前記防水部品は、前記開口部に密着状態に装着されて、前記スライド部品が挿入及び引き抜き自在に摺動することができると共に隙間無く装着される、防水用パッキンである請求項１または２に記載の携帯電子機器。
【請求項４】
前記スライド部品は、前記筐体或いは前記クリック発生部品の係合部に係合して、スライド動作時の移動量を規制する被係合部を有する請求項１から３のいずれか一項に記載の携帯電子機器。
【請求項５】
前記係合部は、前記クリック発生部品或いは前記筐体に設けられた凸状部であり、前記被係合部は、前記スライド部品に設けられた、前記凸状部が係合する受け部である請求項４に記載の携帯電子機器。
【請求項６】
前記クリック発生部品は、前記スライド部品のスライド動作を案内する案内片を有する請求項１から５のいずれか一項に記載の携帯電子機器。
【請求項７】
前記防水部品は、前記開口部と前記クリック発生部品の間に装着された第１防水シートと、前記開口部の周囲に突設されたリブに囲まれた内部空間の上部開口を塞いで装着された第２防水シートの少なくとも一方である請求項１または２に記載の携帯電子機器。
【請求項８】
前記筐体内部に配置され、スライド動作に伴う前記スライド部品のオン・オフを検出する検出部品を有する請求項１から７のいずれか一項に記載の携帯電子機器。
【発明の詳細な説明】
【技術分野】
【０００１】
本発明は、スライド動作を伴うスライド部品を備えた携帯電話機、ＰＤＡ（Ｐｅｒｓｏｎａｌ  Ｄｉｇｉｔａｌ  Ａｓｓｉｓｔａｎｔ）、デジタルカメラ等の携帯電子機器に関する。特に、スライド部品がブザー等の鳴動手段のスイッチとして機能する携帯電子機器に好適なものである。
【背景技術】
【０００２】
従来、緊急時に動作させるブザー等の鳴動手段を備えた「携帯防犯装置」（特許文献１参照）が知られている。この「携帯防犯装置」は、筐体表面に、鳴動手段を動作させるためのスライド式のスイッチを備え、スイッチを操作することにより鳴動手段を動作させて、筐体に設けられたスピーカより警報音を放音するようになっていた。
【特許文献１】実用新案登録第３０５３８１３号公報
【発明の開示】
【発明が解決しようとする課題】
【０００３】
しかしながら、この種の携帯防犯装置は、常時、携行して使用することから、例えば雨降り時等に濡れてしまうことが避けられず、濡れてしまった場合に、スライドスイッチと筐体との隙間から水分が侵入して、筐体内の電子部品に悪影響を与える虞があった。また、スライドスイッチの操作は、緊急時のみ行われるため、通常使用時にスライドスイッチが簡単に動いてしまうことがないようにする必要があった。
本発明の目的は、確実なクリック機能と共に十分な防水性を備えたスライドスイッチ機構を有する携帯電子機器を提供することである。
【課題を解決するための手段】
【０００４】
上記目的を達成するため、本発明に係る携帯電子機器は、筐体内部と筐体外部を連通する開口部を有する筐体と、前記開口部に対しスライド自在に装着されたスライド部品と、前記スライド部品のスライド動作時に当該スライド動作に合わせてクリック感を発生させるクリック発生部品と、前記開口部と前記スライド部品との間に配された防水部品とを有することを特徴としている。
【０００５】
また、本発明は、前記クリック発生部品は、前記スライド部品と弾性的に係合する、形状変形可能な弾性体により形成されていることが好ましい。
また、本発明は、前記防水部品は、前記開口部に密着状態に装着されて、前記スライド部品が挿入及び引き抜き自在に摺動することができると共に隙間無く装着される、防水用パッキンであることが好ましい。
また、本発明は、前記スライド部品は、前記筐体或いは前記クリック発生部品の係合部に係合して、スライド動作時の移動量を規制する被係合部を有することが好ましい。
【０００６】
また、本発明は、前記係合部は、前記クリック発生部品或いは前記筐体に設けられた凸状部であり、前記被係合部は、前記スライド部品に設けられた、前記凸状部が係合する受け部であることが好ましい。
また、本発明は、前記クリック発生部品は、前記スライド部品のスライド動作を案内する案内片を有することが好ましい。
また、本発明は、前記防水部品は、前記開口部と前記クリック発生部品の間に装着された第１防水シートと、前記開口部の周囲に突設されたリブに囲まれた内部空間の上部開口を塞いで装着された第２防水シートの少なくとも一方であることが好ましい。
また、本発明は、前記筐体内部に配置され、スライド動作に伴う前記スライド部品のオン・オフを検出する検出部品とを有することが好ましい。
【発明の効果】
【０００７】
本発明によれば、スライドスイッチ機構を有する携帯電子機器において、確実なクリック機能と共に十分な防水性を備えることができる。
【発明を実施するための最良の形態】
【０００８】
以下、本発明を実施するための最良の形態について図面を参照して説明する。
（第１実施の形態）
図１は、本発明の第１実施の形態に係る携帯電話機を示し、（ａ）は操作キー面側の斜視図、（ｂ）は操作キー面の裏面側の斜視図である。図１に示すように、携帯電子機器としての携帯電話機１０は、フロントケース１１とリアケース１２を重ね合わせて一体化した矩形板状の、ストレートタイプの電話機筐体を有し、フロントケース１１のケース外表面１１ａ側、即ち、リアケース１２との重ね合わせ面と反対側の面側には、通話用スピーカの放音口７、液晶表示装置（Ｌｉｑｕｉｄ  Ｃｒｙｓｔａｌ  Ｄｉｓｐｌａｙ：ＬＣＤ）等の表示装置１３、カーソルキーやテンキー等の操作キー１４及び通話用マイクの集音口８が装備されている（（ａ）参照）。なお、操作キー１４は、電話機筐体の端部に軸支された回動軸を有するキーカバー１４ａの開閉操作により露出させ或いは覆うことができる。
【０００９】
また、リアケース１２のケース外表面１２ａ側、即ち、フロントケース１１との重ね合わせ面と反対側の面側には、ケース長手方向一端側のケース側面（ケース短辺側の側面）１２ｂから引き出し可能なスライドレバー（スライド部品）１５が装着されている（（ｂ）参照）。なお、符号９は、ブザーの放音口であり、前記スライドレバー１５のスライド動作が行われると、ブザーを鳴動させ、ブザー音を前記放音口から外方へ放音するようになっている。
【００１０】
図２は、図１のスライドレバーが装着されたリアケースを示し、（ａ）はレバー格納時の部分斜視図、（ｂ）はレバー引き出し時の部分斜視図である。図２に示すように、スライドレバー１５は、ケース外表面１２ａ及びケース端面１２ｂに開口してリアケース１２に形成された凹部１６に、レバー格納状態（（ａ）参照）から、レバー引き出し状態（（ｂ）参照）へと、リアケース１２に対し摺動（スライド）可能に装着されている。
スライドレバー１５は、レバー格納時、リアケース１２のケース外表面１２ａ及びケース端面１２ｂと同一面を形成するように、一体化して外観形状を形成し（（ａ）参照）、レバー引き出し時、ケース外表面１２ａの延長方向に沿ってリアケース１２の側面１２ｂから外側に突出する（（ｂ）参照）。
【００１１】
図３は、リアケースのスライドレバー装着部の分解構成図である。図４は、図３のスライドレバーを示し、（ａ）は裏面側の斜視図、（ｂ）は表面側の斜視図である。図５は、図３の防水用パッキンの斜視図である。図６は、図３のクリックプレートを示し、（ａ）は裏面側の斜視図、（ｂ）は表面側の斜視図である。
図３に示すように、リアケース１２のケース内面１２ｃ、即ち、フロントケース１１との重ね合わせ側面には、スライドレバー１５が装着される凹部１６を形成するための囲い壁部１７と、囲い壁部１７からケース内部側に離間して突設されたネジ止め用の２本のボス部１８が設けられている。
【００１２】
囲い壁部１７には、凹部１６とリアケース１２の内部を連通する開口部１７ａが設けられており、開口部１７ａには、防水用パッキン（防水部品）１９が装着される。つまり、電話機１０の筐体内部と筐体外部は開口部１７ａにより連通しており、この開口部１７ａに対しスライド自在にスライドレバー１５が装着されている。開口部１７ａ周縁の囲い壁部１７には、防水用パッキン１９の後述する外向きフランジ部１９ａが埋設状態に装着される段差部１７ｂが形成されている。２本のボス部１８には、クリックプレート２０が、プレート固定用ネジ２１によりネジ止め固定される。
【００１３】
図４に示すように、スライドレバー１５は、凹部１６に格納される立方体状の操作部２２と、操作部２２の裏面（ケース内面１２ｃと同じ側の面）に沿って操作部２２に突設された長板状の作動端部２３を有しており、操作部２２には、裏面から側面に貫通する１個の孔２２ａが開けられ、この孔２２ａにストラップ紐を係止させることができるようになっている。また、作動端部２３には、作動端部２３の長手方向に沿って角孔２３ａと丸孔２３ｂがそれぞれ開けられている。
図５に示すように、防水用パッキン１９は、開口部１７ａに挿入されて囲い壁部１７に密着する、長孔開口の筒状体に形成されており、一端側に、開口部１７ａより大きい外径の外向きフランジ（鍔）部１９ａを有している。長孔の断面形状は、スライドレバー１５の作動端部２３の断面形状と略同じに形成されている。また、この防水用パッキン１９は、例えば、ゴム等の弾性部材により形成することが望ましい。
【００１４】
図６に示すように、クリックプレート２０は、形状変形可能な弾性体、例えば、薄い板金をプレス加工することにより、長板状の横長部と、横長部の略中央の一辺側に位置する矩形板状の中央矩形部を有する平面視略Ｔ字型に形成されている。横長部には、両端に位置する２個の丸孔２０ａと、両丸孔２０ａ，２０ａの略中間に位置し、表面側に突出するドーム状の突起（クリック部）２０ｂが横並びに並設されている。中央矩形部の３辺には、例えば、突起２０ｂの突出側に屈曲させた曲げ加工により、突出辺係止片２０ｃと、対向する２個の側辺案内片２０ｄが形成されている。
２個の側辺案内片２０ｄの間隔は、スライドレバー１５の作動端部２３の横幅（長手方向に直交する方向の幅）と、略同じに形成されている。
【００１５】
図７は、図１（ｂ）のＡ−Ａ線に沿う断面図である。図７に示すように、防水用パッキン１９、スライドレバー１５及びクリックプレート２０を装着したリアケース１２と、基板２４を装着したフロントケース１１とを重ね合わせて電話機筐体を形成する。
防水用パッキン１９は、リアケース１２の内部から、囲い壁部１７の開口部１７ａに装着される（図３参照）。このとき、防水用パッキン１９は、開口部１７ａに圧入されて密着状態となり、外向きフランジ部１９ａは、段差部１７ｂに埋設状態となって囲い壁部１７のケース内部側端面と面一状態になる。つまり、防水用パッキン１９は、外向きフランジ部１９ａが開口部１７ａ周縁の囲い壁部１７に当接しているので、ケース外側へ脱落することはない。
【００１６】
防水用パッキン１９を開口部１７ａに装着した後、スライドレバー１５の作動端部２３を、ケース端面１２ｂの外側から凹部１６を介して防水用パッキン１９の長孔内に挿入し、スライドレバー１５をリアケース１２に装着する（図３参照）。作動端部２３を防水用パッキン１９に挿入したスライドレバー１５は、操作部２２を凹部１６に格納した状態で、作動端部２３が防水用パッキン１９からケース内部側に突出し、角孔２３ａと丸孔２３ｂがケース内部に露出する。
【００１７】
作動端部２３を防水用パッキン１９に挿入したスライドレバー１５は、防水用パッキン１９に対し作動端部２３が、挿入及び引き抜き自在に摺動することができると共に隙間無く装着される。従って、スライドレバー１５がスライド自在に装着される開口部１７ａを介して、リアケース１２のケース内部がケース外部に連通していても、防水用パッキン１９によりケース内部に浸水するのを確実に防ぐことができる。つまり、防水用パッキン１９は、開口部１７ａと筐体内部の間に装着され、スライドレバー１５と開口部１７ａの間から筐体内部に水分が侵入するのを防止する。
【００１８】
スライドレバー１５をリアケース１２に装着した後、クリックプレート２０をボス部１８に取り付ける。クリックプレート２０は、２個の丸孔２０ａ，２０ａをそれぞれ各ボス部１８のネジ穴に位置させて２本のボス部１８の上端面に載置した後、プレート固定用ネジ２１を、丸孔２０ａからボス部１８のネジ穴に螺着することにより、ボス部１８にネジ止め固定される。
ボス部１８に固定されたクリックプレート２０は、突起２０ｂを、スライドレバー１５の作動端部２３の丸孔２３ｂに挿入係止させた状態になり、突出辺係止片２０ｃを、作動端部２３の角孔２３ａに挿入させると同時に、防水用パッキン１９のケース内部側端面に当接させた状態になる。更に、２個の側辺案内片２０ｄは、作動端部２３を横幅方向両側から挟み込んだ状態になり、スライドレバー１５のスライド動作を案内するガイド（案内片）として機能する。
【００１９】
従って、突起２０ｂを有するクリックプレート２０により、スライドレバー１５は、作動端部２３の丸孔２３ｂが突起２０ｂに係止した状態、或いはスライド操作により丸孔２３ｂが突起２０ｂを乗り越える状態を有することになる。このため、丸孔２３ｂが突起２０ｂに係止した状態の通常使用時は、スライドレバー１５が簡単に動いてしまうことがなく、丸孔２３ｂが突起２０ｂを乗り越える状態のスライド操作時は、スライドレバー１５と弾性的に係合するクリックプレート２０の形状変形を伴ってクリック感を持たせることができる。
つまり、スライドレバー１５と弾性的に係合する、形状変形可能な弾性体により形成されているクリックプレート２０は、スライドレバー１５のスライド動作時、スライド動作に合わせてクリック感を発生させるクリック発生部品として機能する。
【００２０】
クリックプレート２０の突出辺係止片２０ｃが、防水用パッキン１９をケース内部側から押さえるように、スライドレバー１５の角穴２３ａに挿入係止されることで、防水用パッキン１９がケース内側に脱落することを防止することができる。また、スライドレバー１５をケース外側へ引き抜いた場合でも、角穴２３ａに位置する突出辺係止片２０ｃによりスライドレバー１５の一定以上の移動が阻止されるので、スライドレバー１５がケース外部へ脱落してしまうのを防止することができる。
つまり、クリックプレート２０には、凸状部である係合部（突出辺係止片２０ｃ）が設けられ、スライドレバー１５には、係合部に係合する受け部である被係合部（角穴２３ａ）が設けられており、突出辺係止片２０ｃが角穴２３ａに係合することにより、スライドレバー１５のスライド動作時の移動量が規制される。
【００２１】
クリックプレート２０の２個の側辺案内片２０ｄの間隔を、スライドレバー１５の作動端部２３の横幅と略同じにすれば、スライドレバー１５のスライド時における作動端部２３の左右方向（スライド方向に直交する方向）のガタを少なくすることができる。
そして、作動端部２３のスライド動作に対応してオン・オフするように作動端部２３の先端に位置させて、基板２４上に、例えばメカニカルスイッチ等の検出スイッチ（検出部品）２５を配置する。このようにすることで、スライド動作に伴うスライドレバー１５のオン・オフを検出することができる。なお、スライドレバー１５のオン・オフを検出するために、スライドレバー１５に磁石を、基板２４にホールＩＣ若しくは磁気抵抗効果センサ（ＭＲセンサ）等の磁力検出装置を、それぞれ配置しても良い。
【００２２】
このように、上述した構成を有する携帯電話機１０により、簡単な構造で、クリック感のあるスライドレバー１５及びスライドレバー１５装着部の防水を実現することができる。また、スライドレバー１５のスライド動作時にスライドレバー１５と防水用パッキン１９が脱落することはなく、防水機能を保持することができる。また、スライドレバー１５をスライド動作させたときの左右方向のガタを少なくすることもできる。
（第２実施の形態）
【００２３】
図８は、本発明の第２実施の形態に係る携帯電話機のスライドレバーを示し、（ａ）は裏面側の斜視図、（ｂ）は表面側の斜視図である。図９は、本発明の第２実施の形態に係る携帯電話機のクリックプレートを示し、（ａ）は裏面側の斜視図、（ｂ）は表面側の斜視図である。
図８に示すように、スライドレバー３０は、操作部２２に代えて、裏面（ケース内面１２ｃと同じ側の面）に角穴（或いは凹部）３１ａが開けられた操作部３１、作動端部２３に代えて、角孔２３ａが設けられておらず丸孔２３ｂのみの作動端部３２を有しており、角穴３１ａは、角孔２３ａと同様の機能を備えるように、略同一の形状及び大きさに形成されている。その他の構成及び作用は、操作部２２と作動端部２３を有するスライドレバー１５（図４参照）と同様である。
【００２４】
図９に示すように、クリックプレート３３は、突出辺係止片２０ｃが設けられていない他は、クリックプレート２０（図６参照）と同様の構成及び作用を有している。
図１０は、図７と同様の断面図である。図１０に示すように、防水用パッキン１９、スライドレバー３０及びクリックプレート３３を装着したリアケース１２と、基板２４を装着したフロントケース１１とを重ね合わせて電話機筐体を形成する。
リアケース１２には、スライドレバー３０の角穴３１ａに対応して、操作部３１を凹部１６に格納した状態で角穴３１ａに挿入係止する突起部３４が囲い壁部１７に形成されている。
突起部３４が角穴３１ａに位置することにより、スライドレバー１５をケース外側へ引き抜いた場合でも、スライドレバー１５の一定以上の移動が阻止されるので、スライドレバー１５がケース外部へ脱落してしまうのを防止することができる。
【００２５】
つまり、クリックプレート２０の突出辺係止片２０ｃの代わりにリアケース１２に突起部３４を設けると共に、クリックプレート２２の２個の側辺案内片２０ｄにより防水用パッキン１９をケース内部側から押さえるように配置し、スライドレバー１５の角孔２３ａの代わりにスライドレバー３０に角穴３１ａを設けた他は、第１実施の形態における、防水用パッキン１９、スライドレバー１５及びクリックプレート２０を装着したリアケース１２とフロントケース１１とを重ね合わせて形成した電話機筐体の構成及び作用と同様である。
このような構成としても、簡単な構造で、クリック感のあるスライドレバー１５及びスライドレバー１５装着部の防水を実現することができる。また、スライドレバー１５のスライド動作時にスライドレバー１５と防水用パッキン１９が脱落することはなく、防水機能を保持することができる。また、スライドレバー１５をスライド動作させたときの左右方向のガタを少なくすることもできる。
（第３実施の形態）
【００２６】
図１１は、本発明の第３実施の形態に係る携帯電話機のクリックプレートを示し、（ａ）は裏面側の斜視図、（ｂ）は表面側の斜視図である。
図１１に示すように、クリックプレート３５は、横長部の略中央の一辺側に位置する矩形板状の中央矩形部が設けられていない。即ち、クリックプレート３５は、両端に位置する２個の丸孔２０ａと、両丸孔２０ａ，２０ａの略中間に位置するドーム状の突起（クリック部）２０ｂが横並びに並設された、長板状に形成されている。その他の構成及び作用は、クリックプレート２０（図６参照）と同様である。
【００２７】
図１２は、本発明の第３実施の形態に係る携帯電話機のフロントケースを示し、（ａ）は裏面側の斜視図、（ｂ）は（ａ）の部分拡大図である。図１２に示すように、フロントケース３６は、ケース内面３６ａ側、即ち、リアケース１２との重ね合わせ面側（（ａ）参照）の、リアケース１２の囲い壁部１７に対応する位置の近傍に、１個の中央リブ３７と２個の側面リブ３８，３８を有している（（ｂ）参照）。その他の構成及び作用は、フロントケース１１と同様である。
【００２８】
図１３は、図７と同様の断面図である。図１３に示すように、中央リブ３７は、スライドレバー１５をリアケース１２に装着し操作部２２を凹部１６に格納した状態の、作動端部２３の角穴２３ａに対応して、２個の側面リブ３８，３８は、作動端部２３の横幅に対応して、ケース内面３６ａに突設されている。また、基板２４には、中央リブ３７と両側面リブ３８，３８がそれぞれ貫通する貫通孔が開けられている。
中央リブ３７は、貫通孔からリアケース１２側に突出させた先端３７ａが、開口部１７ａに装着した防水用パッキン１９のケース内部側端面に当接することができる長さに形成されている。両側面リブ３８，３８は、貫通孔からリアケース１２側に突出させたそれぞれの先端３８ａ，３８ａが、リアケース１２に装着したスライドレバー１５の作動端部２３の両側に位置する長さに形成されている。
【００２９】
つまり、中央リブ３７は、クリックプレート２０の突出辺係止片２０ｃとしての機能を、両側面リブ３８，３８は、クリックプレート２０の２個の側辺案内片２０ｄとしての機能を、それぞれ有している。
従って、中央リブ３７により、防水用パッキン１９がケース内部側から押さえられるので防水用パッキン１９がケース内側に脱落することを防止すると共に、スライドレバー１５をケース外側へ引き抜いた場合でも、スライドレバー１５がケース外部へ脱落してしまうのを防止することができる。また、両側面リブ３８，３８により、スライドレバー１５をスライド動作させたときの左右方向のガタを少なくすることができる。加えて、中央リブ３７と両側面リブ３８，３８は、基板２４を貫通していることから、基板２４の取り付け位置を規制することになり、携帯電話機の落下時等に電話機筐体に衝撃が加わった場合にも、基板２４の位置ずれを防止することができる。
（第４実施の形態）
【００３０】
図１４は、本発明の第４実施の形態に係る携帯電話機のリアケースのスライドレバー装着部を示し、（ａ）はスライドレバー装着前の斜視図、（ｂ）はケース内面側の分解構成図である。図１５は、図１４のリアケースのスライドレバー装着部にクリックプレートを組み込んだ後の斜視図である。
図１４及び図１５に示すように、携帯電話機のリアケース４０のケース外表面４０ａ、即ち、フロントケース（図示しない）との重ね合わせ面の反対側面には、ケース外表面４０ａに対しスライド操作自在にスライドレバー４１が装着される（図１４（ａ）参照）。このスライドレバー４１をスライド操作することにより第１実施の形態乃至第３実施の形態と同様に防犯ブザー（図示しない）を鳴動させることができる。
【００３１】
リアケース４０の、スライドレバー４１が装着される場所には、ケース表裏面を貫通する開口部４０ｂが設けられており（図１４（ａ）参照）、装着されたスライドレバー４１は、スライドレバー４１の裏面側に設けたクリック用金属部品４２を、開口部４０ｂからケース内面側に露出させている（図１４（ｂ）参照）。リアケース４０のケース内面側には、クリックプレート４３が、開口部４０ｂとの間に防水用ゴムキャップ４４を介して、プレート固定用ネジ４５によりネジ止め固定される（図１４（ｂ）、図１５参照）。
クリック用金属部品４２は、スライドレバー４１の裏面側に丸穴状に開口する凹部４２ａを有している（図１４参照）。クリックプレート４３は、薄い板状体からなり、クリック用金属部品４２の凹部４２ａに挿入係止するドーム状のクリック用突起４３ａと、クリック用突起４３ａの両側に１個ずつ丸孔４３ｂを有している（図１４（ｂ）参照）。
【００３２】
防水用ゴムキャップ４４は、ゴム等の弾性部材により形成された板状体からなり、表面側がケース内面の開口部４０ｂ周縁に密着すると共に裏面側にクリックプレート４３が密着する密着面部４４ａを有している。この密着面部４４ａには、クリック用金属部品４２に対応する位置に、クリック用突起４３ａが通り抜けることができる大きさの丸孔４４ｂが設けられている（図１４（ｂ）参照）。リアケース４０のケース内面には、両丸孔４３ｂ，４３ｂに対応して、プレート固定用ネジ４５を螺着する２本のボス部４６が突設されている（図１４参照）。
【００３３】
クリックプレート４３をボス部４６にネジ止め固定することにより、防水用ゴムキャップ４４は、密着面部４４ａがケース内面の開口部４０ｂ周縁に密着固定されて開口部４０ｂを塞ぎ、クリックプレート４３のクリック用突起４３ａは、防水用ゴムキャップ４４の丸孔４４ｂを通り抜けて、開口部４０ｂ内に位置する。そして、スライドレバー４１がスライド操作されない通常使用時、クリック用突起４３ａは、クリック用金属部品４２の凹部４２ａに挿入係止した状態になる。
従って、クリック用金属部品４２の凹部４２ａにクリック用突起４３ａが係止している通常使用時は、スライドレバー４１が簡単に動いてしまうことがなく、スライドレバー４１のスライド操作時は、凹部４２ａがクリック用突起４３ａを乗り越えることによりクリック感を持たせることができる。
【００３４】
なお、リアケース４０のケース内面側に装着した防水用ゴムキャップ４４の外周部は、防水用ゴムキャップ４４を圧入することにより、或いは別部品（図示しない）を用いて加圧することにより、密閉状態にする。
このように、開口部４０ｂは、防水用ゴムキャップ４４の密着面部４４ａにより塞がれるので、スライドレバー４１のクリック用金属部品４２が位置する開口部４０ｂからリアケース４０の内部への浸水を防止することができる。
（第５実施の形態）
【００３５】
図１６は、本発明の第５実施の形態に係る携帯電話機のリアケースのスライドレバー装着部を示し、（ａ）はケース外表面の斜視図、（ｂ）はケース内面の斜視図である。図１７は、図１６のスライドレバー装着部のケース内面を示し、（ａ）は第１防水シートを貼り付けた状態の斜視図、（ｂ）はクリックプレートを装着した状態の斜視図である。
図１６に示すように、携帯電話機のリアケース４７のケース外表面４７ａ、即ち、フロントケース（図示しない）との重ね合わせ面の反対側面には、溝状の凹部４８が形成されており（（ａ）参照）、凹部４８には、ケース外表面４７ａに対しスライド操作自在にスライドレバー４９が装着される。このスライドレバー４９をスライド操作することにより、第１実施の形態乃至第４実施の形態と同様に防犯ブザー（図示しない）を鳴動させることができる。
【００３６】
凹部４８には、ケース表裏面を貫通する開口部４８ａが設けられており（（ａ），（ｂ）参照）、装着されたスライドレバー４９は、スライドレバー４９の裏面側に設けたクリック用金属部品５０（（ｂ）参照）を、開口部４８ａからケース内面側に露出させている（図１７（ａ）参照）。クリック用金属部品５０は、スライドレバー４９の裏面側に丸穴状に開口する凹部５０ａを有している（（ｂ）参照）。リアケース４７のケース内面には、開口部４８ａの周囲を囲う壁状のリブ５１が形成されており、リブ５１の内側には、２本のボス部５２が突設されている（（ｂ）参照）。
また、スライドレバー４９の両側面には部分的に外方へ突出する一対の突出部４９ａを有すると共に、凹部４８を形成する壁面には前記突出部４９ａが挿入され、スライドレバー４９の移動方向に沿って延び
一定以上の移動を規制する溝部４８ｂを備える。
【００３７】
図１７に示すように、ケース内面の開口部４８ａ周縁の平坦面、即ち、凹部４８の底面部裏面側には、底面部裏面側に密着させて第１防水シート５３が貼り付けられており（（ａ）参照）、更に、第１防水シート５３を覆って、リブ５１により囲まれたリブ内部形状に相当する形状のクリックプレート５４が装着される（（ｂ）参照）。クリックプレート５４は、薄い板状体からなり、クリック用金属部品５０の凹部５０ａに挿入係止するドーム状のクリック用突起５４ａを有している（（ｂ）参照）。
【００３８】
クリックプレート５４をボス部５２にネジ５５によりネジ止め固定することにより、クリックプレート５４は壁部５１内側空間の開口部を塞ぎ（（ｂ）参照）、クリックプレート５４のクリック用突起５４ａは、開口部４８ａ内に位置する。そして、スライドレバー４９がスライド操作されない通常使用時、クリック用突起５４ａは、クリック用金属部品５０の凹部５０ａに挿入係止した状態になる。
【００３９】
図１８は、図１６のスライドレバー装着部のケース内面を示す、第２防水シートを貼り付けた状態の斜視図である。図１９は、図１８のＢ−Ｂ線に沿う断面図である。図１８及び図１９に示すように、ボス部５２にネジ止め固定したクリックプレート５４を覆って、リブ５１には、リブ５１上端面に密着させて第２防水シート５６が貼り付けられる。リブ５１上端面に貼り付けられた第２防水シート５６は、ネジ５５の上端面に接触した状態になり（図１９参照）、リブ５１に囲まれた内部空間の上部開口は、第２防水シート５６に隙間無く塞がれることになる。
【００４０】
従って、クリック用金属部品５０の凹部５０ａにクリック用突起５４ａが係止している通常使用時は、スライドレバー４９が簡単に動いてしまうことがなく、スライドレバー４９のスライド操作時は、凹部５０ａがクリック用突起５４ａを乗り越えることによりクリック感を持たせることができる。
このように、開口部４８ａと開口部４８ａ内にクリック用突起５４ａを位置させたクリックプレート５４の間には、第１防水シート５３が貼り付けられており、ケース内部に開口する開口部４８ａが位置する、リブ５１に囲まれた内部空間の上部開口は、第２防水シート５６により隙間無く塞がれている。つまり、第１防水シート５３と第２防水シート５６の二重構造により、スライドレバー４９のクリック用金属部品５０が位置する開口部４８ａからリアケース４７の内部への浸水を防止することができる。
【００４１】
なお、第１防水シート５３と第２防水シート５６は、例えば、片面或いは両面に粘着テープが付いたフィルムやスポンジやゴム等により形成することができる。また、第１防水シート５３と第２防水シート５６は、両方を用いる他、何れか一方のみを用いても良く、第１防水シート５３は、クリックプレート５４が厚さ方向に変形する以上に厚さ方向に弾性変形可能であることが望ましい。
【００４２】
つまり、防水部品として、開口部とクリック発生部品（クリックプレート５４）の間に装着された第１防水シート５３と、開口部の周囲に突設されたリブ５１に囲まれた内部空間の上部開口を塞いで装着された第２防水シート５６の少なくとも一方を用いることにより、スライド部品（スライドレバー４９）と開口部（開口部４８ａ）の間から筐体内部に水分が侵入するのを防止することができる。
この実施の形態では、簡単な形状のシートにより防水機能を備えることができるため、小型化、薄型化、低コスト化、及び確実な密閉性を確保することができる。
（第６実施の形態）
【００４３】
図２０は、本発明の第６実施の形態に係る携帯電話機のリアケースのスライドレバーのオン・オフ動作を検出する検出スイッチの装着状態を概念的に示し、（ａ）はスライドレバー格納状態の断面説明図、（ｂ）はスライドレバー引き出し状態の断面説明図である。図２０に示すように、スライドレバー４９のオン・オフ動作を検出するために、スライドレバー４９に磁石５７を、基板５９にホールＩＣ若しくは磁気抵抗効果センサ（ＭＲセンサ）等の磁力検出装置５８を、それぞれ配置して、オン・オフ状態を検出しても良い。
【００４４】
スライドレバー４９が引き出されず格納状態にある、スライドレバー４９がリアケース４７の凹部４８に位置する通常状態では、ブザーが鳴動しないスライドレバー４９のオフ状態が検出される（（ａ）参照）。一方、スライドレバー４９が引き出されて凹部４８からケース外部に突出した緊急状態では、ブザーが鳴動するスライドレバー４９のオン状態が検出される（（ｂ）参照）。
【００４５】
なお、上記実施の形態において、携帯電話機１０は、ストレートタイプ（図１参照）に限らず、複数の筐体を有し、折り畳み可能な折り畳みタイプでもよく、携帯電子機器としては、携帯電話機に限らず、ＰＤＡ（Ｐｅｒｓｏｎａｌ  Ｄｉｇｉｔａｌ  Ａｓｓｉｓｔａｎｔ）等の他の携帯可能な電子機器でも良い。
また、本発明は、上述した実施の形態により説明したが、この実施の形態に限定されるものではない。従って、本発明の趣旨を逸脱することなく変更態様として実施するものも含むものである。
【図面の簡単な説明】
【００４６】
【図１】本発明の第１実施の形態に係る携帯電話機を示し、（ａ）は操作キー面側の斜視図、（ｂ）は操作キー面と反対の面側の斜視図である。
【図２】図１のスライドレバーが装着されたリアケースを示し、（ａ）はレバー格納時の部分斜視図、（ｂ）はレバー引き出し時の部分斜視図である。
【図３】リアケースのスライドレバー装着部の分解構成図である。
【図４】図３のスライドレバーを示し、（ａ）は裏面側の斜視図、（ｂ）は表面側の斜視図である。
【図５】図３の防水用パッキンの斜視図である。
【図６】図３のクリックプレートを示し、（ａ）は裏面側の斜視図、（ｂ）は表面側の斜視図である。
【図７】図１（ｂ）のＡ−Ａ線に沿う断面図である。
【図８】本発明の第２実施の形態に係る携帯電話機のスライドレバーを示し、（ａ）は裏面側の斜視図、（ｂ）は表面側の斜視図である。
【図９】本発明の第２実施の形態に係る携帯電話機のクリックプレートを示し、（ａ）は裏面側の斜視図、（ｂ）は表面側の斜視図である。
【図１０】図７と同様の断面図である。
【図１１】本発明の第３実施の形態に係る携帯電話機のクリックプレートを示し、（ａ）は裏面側の斜視図、（ｂ）は表面側の斜視図である。
【図１２】本発明の第３実施の形態に係る携帯電話機のフロントケースを示し、（ａ）は裏面側の斜視図、（ｂ）は（ａ）の部分拡大図である。
【図１３】図７と同様の断面図である。
【図１４】本発明の第４実施の形態に係る携帯電話機のリアケースのスライドレバー装着部を示し、（ａ）はスライドレバー装着前の斜視図、（ｂ）はケース内面側の分解構成図である。
【図１５】図１４のリアケースのスライドレバー装着部にクリックプレートを組み込んだ後の斜視図である。
【図１６】本発明の第５実施の形態に係る携帯電話機のリアケースのスライドレバー装着部を示し、（ａ）はケース外表面の斜視図、（ｂ）はケース内面の斜視図である。
【図１７】図１６のスライドレバー装着部のケース内面を示し、（ａ）は第１防水シートを貼り付けた状態の斜視図、（ｂ）はクリックプレートを装着した状態の斜視図である。
【図１８】図１６のスライドレバー装着部のケース内面を示す、第２防水シートを貼り付けた状態の斜視図である。
【図１９】図１８のＢ−Ｂ線に沿う断面図である。
【図２０】本発明の第６実施の形態に係る携帯電話機のリアケースのスライドレバーのオン・オフ動作を検出する検出スイッチの装着状態を概念的に示し、（ａ）はスライドレバー格納状態の断面説明図、（ｂ）はスライドレバー引き出し状態の断面説明図である。
【符号の説明】
【００４７】
１０  携帯電話機
１１，３６  フロントケース
１１ａ，１２ａ，４０ａ，４７ａ  ケース外表面
１２，４０，４７  リアケース
１２ｂ  ケース側面
１２ｃ，３６ａ  ケース内面
１３  表示装置
１４  操作キー
１４ａ  キーカバー
１５，３０，４１，４９  スライドレバー
１６，４２ａ，４８，５０ａ  凹部
１７  囲い壁部
１７ａ，４０ｂ，４８ａ  開口部
１８，４６，５２  ボス部
１９  防水用パッキン
１９ａ  外向きフランジ部
２０，３３，３５，４３，５４  クリックプレート
２０ａ，２３ｂ，４３ｂ，４４ｂ  丸孔
２０ｂ  突起
２０ｃ  突出辺係止片
２０ｄ  側辺案内片
２１，４５，５５  プレート固定用ネジ
２２，３１  操作部
２２ａ  孔
２３，３２  作動端部
２３ａ，３１ａ  角孔
２４，５９  基板
２５  検出スイッチ
３４  突起部
３７  中央リブ
３７ａ，３８ａ  先端
３８  側面リブ
４２，５０  クリック用金属部品
４３ａ，５４ａ  クリック用突起
４４  防水用ゴムキャップ
４４ａ  密着面部
５１  リブ
５３  第１防水シート
５６  第２防水シート
５７  磁石
５８  磁力検出装置
【図１】
2008035115.tif 000003
【図２】
2008035115.tif 000004
【図３】
2008035115.tif 000005
【図４】
2008035115.tif 000006
【図５】
2008035115.tif 000007
【図６】
2008035115.tif 000008
【図７】
2008035115.tif 000009
【図８】
2008035115.tif 000010
【図９】
2008035115.tif 000011
【図１０】
2008035115.tif 000012
【図１１】
2008035115.tif 000013
【図１２】
2008035115.tif 000014
【図１３】
2008035115.tif 000015
【図１４】
2008035115.tif 000016
【図１５】
2008035115.tif 000017
【図１６】
2008035115.tif 000018
【図１７】
2008035115.tif 000019
【図１８】
2008035115.tif 000020
【図１９】
2008035115.tif 000021
【図２０】
2008035115.tif 000022